(57)【要約】【課題】携帯端末機のモードに従う映像及びデータ表示装置及び方法を提供する。【解決手段】映像データを表示する領域と使用者データを表示する領域を有する表示部を設ける携帯端末機が待機モードで前記携帯端末機のテレビ／通信モードを分析する。この時、テレビモードであると、チューナーを制御してテレビチャネルを選択し、選択されたテレビチャネルに受信されるフレーム映像データ及び選択チャネルに対応される使用者データをメモリに貯蔵し、フレーム区間で以前フレームの貯蔵された映像信号を表示部の画面表示領域に出力し、映像信号出力完了時、使用者データを使用者データ表示領域に出力して表示する。【選択図】図１
2006325235.tif 000002
【特許請求の範囲】
【請求項１】
映像データを表示する領域と使用者データを表示する領域を有する表示部を設ける携帯端末機のテレビ映像信号を表示する方法において、
テレビモード時、チューナーを制御してテレビチャネルを選択する過程と、
前記選択されたテレビチャネルに受信される映像信号を映像データに変換する過程と、
前記映像データを画面の大きさのフレームデータにスケーリングする過程と、
前記選択されたチャネルで受信されるフレーム映像データ及び前記選択チャネルに対応する使用者データをメモリに貯蔵し、フレーム区間で以前フレームの貯蔵された映像信号を前記表示部の画面表示領域に出力し、前記映像信号出力完了時、使用者データを使用者データ表示領域に出力して表示する過程と、
前記表示過程で通信命令発生時、通信種類を分析する過程と、
前記分析過程でデータ通信であると、前記表示部の映像表示領域にテレビ画面を表示しながら前記使用者データ領域に通信モードで発生される使用者データを表示し、通信終了時、前記表示過程に戻る過程と、
前記分析過程で音声通信であると、前記表示部の映像表示領域にテレビ画面を表示しながらテレビオーディオ信号を遮断して音声通信機能を遂行し、通信終了時、前記表示過程に戻る過程と、からなることを特徴とする前記方法。
【請求項２】
映像データを表示する領域と使用者データを表示する領域を有する表示部を設ける携帯端末機のテレビ映像信号を表示する方法において、
テレビモード時、チューナーを制御してチャネルを選択する過程と、
前記選択されたチャネルに受信される映像信号を映像データに変換する過程と、
前記映像データを画面の大きさのフレームデータにスケーリングする過程と、
前記選択されたチャネルで受信されるフレーム映像データ及び前記選択チャネルに対応される使用者データをメモリに貯蔵し、フレーム区間で以前フレームの貯蔵された映像信号を前記表示部の画面表示領域に出力し、前記映像信号出力完了時、使用者データを使用者データ表示領域に出力して表示する過程と、
前記表示過程で画面調整命令受信時、前記表示される画像を回転及び拡大して表示部にフルスクリーンに表示する過程と、
前記スクリーンに表示する過程で通信命令発生時、通信種類を分析する過程と、
前記分析過程でデータ通信であると、前記表示部の映像表示領域にテレビ画面を表示しながら前記使用者データ領域に通信モードで発生される表示中である画面の任意位置にオンスクリーン形態に使用者データを表示し、通信終了時、前記表示過程に戻る過程と、
前記分析過程で音声通信であると、前記表示部の映像表示領域にテレビ画面を表示しながらテレビオーディオ信号を遮断して音声通信機能を遂行し、通信終了時、前記表示過程に戻る過程と、からなることを特徴とする前記方法。
【請求項３】
テレビモード及び通信モードを遂行する携帯端末機装置において、
テレビモード及び通信モードを実行するための命令語と、表示されるテレビ映像に対応する使用者データと、前記テレビモードにおいて前記通信モードが発生したときに表示モードとしてテレビモードまたはＯＳＤモードを遂行するための命令語とを発生する制御部と、
選択されたチャネルのテレビ映像信号を受信するチューナーと、
前記チューナーから出力されるテレビの複合映像信号をデコーディングして映像信号、
オーディオ信号及び同期信号に分離するデコーダと、
前記テレビモード時、前記アナログ映像信号をデジタル映像データに変換し、フレームの大きさに処理した後、フレーム区間でフレーム映像信号を出力し、次のフレーム開始前の休止区間で前記使用者データを出力し、前記テレビモードにおいて前記通信モードが発生し、前記表示モードとして前記テレビモードが指定されていると、前記デコーダから出力されるテレビオーディオ信号の経路を遮断し、前記テレビモードを遂行すると同時に制御部から出力される前記使用者データを出力し、前記ＯＳＤモードが指定されていると、前記デコーダから出力されるテレビ映像データを遮断し、前記使用者データを出力する映像処理部と、
テレビモード時、前記映像処理部から出力される前記映像信号及び前記使用者データをそれぞれ対応する第１及び第２表示領域に表示し、通信モード時、前記映像処理部から出力される前記使用者データを前記第１及び第２表示領域に表示する表示部と、からなることを特徴とする前記装置。
【請求項４】
前記映像処理部は、
前記デコーダから出力される映像信号を映像データに変換するＡ／Ｄ変換器と、
前記映像データを前記デコーダから出力される同期信号に同期させフレーム画面の大きさにスケーリングするスケーラと、
第１乃至第３メモリと、
前記テレビモード時、前記スケーラから出力される映像信号を前記第２メモリ(または第３メモリ)に貯蔵し、前記第３メモリ(または第２メモリ)に貯蔵中である以前フレームの映像信号を出力し、前記フレーム映像信号出力後、前記第１メモリに貯蔵している使用者データを出力する動作を繰り返し、通信モード時、テレビモードであると前記動作を遂行し、ＯＳＤモードであると前記第１メモリに背景画面の映像データを貯蔵し、前記第２及び(または)第３メモリに前記使用者データを貯蔵及び出力するメモリ制御部と、からなる請求項３記載の前記装置。
【発明の詳細な説明】
【技術分野】
【０００１】
本発明は携帯端末装置の表示装置及び方法に関するもので、特にテレビモード及び通信モードを遂行する携帯端末機の表示装置及び方法に関する。
【背景技術】
【０００２】
現在、携帯端末機は音声通信機能だけではなく高速のデータを伝送することができる構造に変換している。即ち、ＩＭＴ２０００規格の移動通信網を具現すると、前記携帯電話機を利用して音声通信以外に高速のデータ通信を具現することができる。前記データ通信を遂行する携帯端末機で処理することができるデータはパケットデータ及び映像データになることができる。
【０００３】
また、前記携帯端末機は表示部を設け、前記表示部の大きさが徐々に拡張されつつある。そして基地局から受信される映像データ(picture data、pixel data)を共に表示するか、カメラにより撮影されたデータを処理することができる携帯端末機も登場している。このような携帯用端末機はテレビ映像信号を受信して表示することができる。このような場合、前記携帯端末機はテレビ受信機能を有しなければならなく、また前記テレビ信号を処理しながら、同時に、または独立的に無線通信機能を遂行できなければならない。
【発明の開示】
【発明が解決しようとする課題】
【０００４】
従って、本発明の目的は、無線通信機能を遂行するテレビ映像信号の表示及び通信モードを遂行することができる携帯端末機の表示装置及び方法を提供することである。
【０００５】
本発明の他の目的は、通信モード時、テレビ映像信号及び通信モードを同時に表示することができる携帯端末機の表示装置及び方法を提供することである。
【０００６】
本発明のさらに他の目的は、テレビ映像信号を表示する領域に通信モードのメッセージをオンスクリーン文字に表示することができる携帯端末機の表示装置及び方法を提供することである。
【０００７】
本発明のさらに他の目的は、テレビ映像信号を表示する状態で着信される通信メッセージを使用者の選択に応じて表示することができる携帯端末機の表示装置及び方法を提供することである。
【０００８】
本発明のさらに他の目的は、テレビ映像信号を表示する状態で発信メッセージを使用者の選択に応じて表示することができる携帯端末機の表示装置及び方法を提供することである。
【課題を解決するための手段】
【０００９】
このような目的を達成するために本発明は、テレビ映像信号を表示する携帯端末機の表示装置において、テレビモード及び通信モードを実行するための命令語と表示されるテレビ映像に応じた使用者データを発生する制御部と、選択されたチャネルのテレビ映像信号を受信するチューナーと、前記チューナーから出力されるテレビの複合映像信号をデコーディングして映像信号、音声信号及び同期信号に分離するデコーダと、前記テレビモード時、前記アナログ映像信号をデジタル映像データに変換し、フレーム大きさに処理した後、前記フレーム区間でフレーム映像信号及び前記使用者データを出力し、前記通信モード時、前記チューナー及びデコーダの動作を中断させ、前記制御部から出力される使用者データを出力する映像処理部と、テレビモード時、前記映像処理部から出力される前記映像信号及び使用者データをそれぞれ対応する第１及び第２表示領域に表示し、通信モード時、前記映像処理部から出力される使用者データを前記第１及び第２表示領域に表示する表示部と、からなることを特徴とする。
【００１０】
このような目的を達成するために本発明は、映像データを表示する領域と使用者データを表示する領域を有する表示部を設ける携帯端末機のテレビ映像信号を表示する方法において、待機モードで前記携帯端末機のテレビ/通信モードを分析する過程と、前記テレビモード時、チューナーを制御してテレビチャネルを選択する過程と、前記選択されたテレビチャネルで受信される複合映像信号を映像信号、オーディオ信号及び同期信号に分離する過程と、前記分離された映像信号を前記同期信号によりフレーム映像データに発生し、受信される現在のフレーム映像データ及び使用者データをメモリに貯蔵し、貯蔵している以前フレームの貯蔵された映像信号を前記表示部の画面表示領域に出力し、前記映像信号出力完了時、使用者データを使用者データ表示領域に出力して表示する過程と、前記通信モード時、前記メモリに通信モードで発生されるデータを貯蔵し、前記貯蔵された使用者データを前記表示部の映像及び使用者データ表示領域に表示する過程と、からなることを特徴とする。
【００１１】
このような目的を達成するために本発明は、映像データを表示する領域と使用者データを表示する領域を有する表示部を設ける携帯端末機のテレビ映像信号を表示する方法において、テレビモード時、チューナーを制御してテレビチャネルを選択する過程と、前記選択されたテレビチャネルに受信される映像信号を映像データに変換する過程と、前記映像データを画面の大きさのフレームデータにスケーリングする過程と、前記選択されたチャネルで受信されるフレーム映像データ及び前記選択チャネルに対応する使用者データをメモリに貯蔵し、フレーム区間で以前フレームの貯蔵された映像信号を前記表示部の画面表示領域に出力し、前記映像信号出力完了時、使用者データを使用者データ表示領域に出力して表示する過程と、前記表示過程で通信命令発生時、通信種類を分析する過程と、前記分析過程でデータ通信であると、前記表示部の映像表示領域にテレビ画面を表示しながら前記使用者データ領域に通信モードで発生される使用者データを表示し、通信終了時、前記表示過程に戻る過程と、前記過程で音声通信であると、前記表示部の映像表示領域にテレビ画面を表示しながらテレビオーディオ信号を遮断して音声通信機能を遂行し、通信終了時、前記表示過程に戻る過程と、からなることを特徴とする。
【００１２】
このような目的を達成するために本発明は、映像データを表示する領域と使用者データを表示する領域を有する表示部を設ける携帯端末機のテレビ映像信号を表示する方法において、テレビモード時、チューナーを制御してチャネルを選択する過程と、前記選択されたチャネルに受信される映像信号を映像データに変換する過程と、前記映像データを画面大きさのフレームデータにスケーリングする過程と、前記選択されたチャネルで受信されるフレーム映像データ及び前記選択チャネルに対応する使用者データをメモリに貯蔵し、フレーム区間で以前フレームの貯蔵された映像信号を前記表示部の画面表示領域に出力し、前記映像信号出力完了時、使用者データを使用者データ表示領域に出力して表示する過程と、前記表示過程で画面調整命令受信時、前記表示される画像を回転及び拡大して表示部にフルスクリーンに表示する過程と、前記スクリーンに表示する過程で通信命令発生時、通信種類を分析する過程と、前記分析過程でデータ通信であると、前記表示部の映像表示領域にテレビ画面を表示しながら前記使用者データ領域に通信モードで発生される表示中である画面の任意位置にオンスクリーン形態に使用者データを表示し、通信終了時、前記表示過程に戻る過程と、前記分析過程で音声通信であると、前記表示部の映像表示領域にテレビ画面を表示しながらテレビオーディオ信号を遮断して音声通信機能を遂行し、通信終了時、前記表示過程に戻る過程と、からなることを特徴とする。
【００１３】
このような目的を達成するために本発明は、テレビモード及び通信モードを遂行する携帯端末機装置において、テレビモード及び通信モードを実行するための命令語と表示されるテレビ映像に従う使用者データを発生し、前記テレビモードで通信モード発生のテレビ、またはＯＳＤに表示モードを遂行するための命令語を発生する制御部と、選択されたチャネルのテレビ映像信号を受信するチューナーと、前記チューナーから出力されるテレビの複合映像信号をデコーディングして映像信号、オーディオ信号及び同期信号に分離するデコーダと、前記テレビモード時、前記アナログ映像信号をデジタル映像データに変換し、フレーム大きさに処理した後、前記フレーム区間でフレーム映像信号及び前記使用者データを出力し、前記テレビモードで通信モード発生されると、設定されたモードに応じてテレビモードであると、前記デコーダの出力でオーディオ信号の出力を遮断し、前記テレビモードを遂行すると同時に制御部の使用者データを処理し、前記ＯＳＤモードであると、前記デコーダの出力を遮断し、前記使用者データのデータを処理する映像処理部と、テレビモード時、前記映像処理部から出力される前記映像信号及び使用者データをそれぞれ対応する第１及び第２表示領域表示し、通信モード時、前記映像処理部から出力される使用者データを前記第１及び第２表示領域に表示する表示部と、からなることを特徴とする。
【発明の効果】
【００１４】
本発明の携帯端末機は、受信されるテレビ映像信号を処理して端末機の表示部にテレビ画面に表示することができる。前記表示されるテレビ画面を拡大するか、回転させることができ、また停止画面に撮影して貯蔵することもできる。前記テレビ画面を表示する時、メモリを効率的に制御して受信される映像信号を実時間に処理することができ、前記携帯用端末機のテレビモードをメニュー方式に処理してテレビ視聴のための便利性を向上させることができる利点がある。
【発明を実施するための最良の形態】
【００１５】
以下、本発明に従う好適な一実施形態について添付図を参照しつつ詳細に説明する。下記の説明において、本発明の要旨のみを明瞭にする目的で、関連した公知機能又は構成に関する具体的な説明は省略する。
【００１６】
図１は本発明の実施形態に従う携帯端末装置の構成を示す図である。ここで、前記携帯端末機は携帯電話機(mobile telephone)とすることができる。
【００１７】
図１を参照すると、ＲＦ部２１は携帯用電話機の無線通信を遂行する。前記ＲＦ部２１は送信される信号の周波数を上昇変換及び増幅するＲＦ送信器と、受信される信号を低雑音増幅し周波数を下降変換するＲＦ受信器などを含む。データ処理部２３は前記送信される信号を符号化及び変調する送信器及び前記受信される信号を復調及び復号化する受信器などを含む。即ち、前記データ処理部２３はモデム(MODEM)及びコーデック(CODEC)で構成されることができる。オーディオ処理部２５は前記データ処理部２３から出力される受信オーディオ信号を再生するか、またはマイクから発生される送信オーディオ信号を前記データ処理部２３に伝送する機能を遂行する。また前記オーディオ処理部２５はテレビモード時、後述するデコーダ６０から出力されるテレビ信号のオーディオ信号を再生する機能を遂行する。
【００１８】
キーパッド２７は数字及び文字情報を入力するためのキーと、各種機能を設定するための機能キーとを設ける。また前記キーパッド２７は本発明の実施形態に従ってテレビ映像信号を処理するための各種モード設定キーを設ける。メモリ２９はプログラムメモリ及びデータメモリを含む。前記プログラムメモリは携帯用電話機の一般的な動作を制御するためのプログラム及び本発明の実施形態に従ってテレビ映像信号を処理するためのプログラムを貯蔵する。また前記データメモリは前記プログラムの遂行中に発生されるデータを一時貯蔵する機能を遂行する。
【００１９】
制御部１０は携帯用電話機の全般的な動作を制御する機能を遂行する。また前記制御部１０は前記データ処理部２３を含むこともできる。本発明の実施形態に従って、前記制御部１０は前記キーパッド２７からのモード設定信号に応答して、映像処理部７０をテレビモード、または通信モードに動作するように制御する。テレビモードである場合、前記制御部１０は前記映像処理部７０が前記設定されたテレビモードに応じて受信されるテレビ映像信号を表示するように制御し、テレビモードでの使用者データを前記映像処理部７０に出力する。通信モードである場合、前記制御部１０は前記映像処理部７０をテレビモード、またはＯＳＤモードに動作するように制御し、通信モードで発生される使用者データを映像処理部７０に出力する。
【００２０】
前記テレビモードを遂行する状態で通信モードが発生される場合(例えば、テレビモードの遂行中に着信または発信が発生される場合)、前記制御部１０は前記テレビモードを中断し、該当通信モードを遂行することができる。また、テレビモードで通信モードが発生される場合、前記テレビモードを遂行しながら該当通信モードを遂行することもできる。前記テレビモードで通信モードを遂行する場合、前記通信は音声通信とデータ通信があり得る。この時、前記テレビモードで音声通信が発生された場合、前記制御部１０は後述するデコーダ６０から出力されるテレビオーディオ信号の経路を遮断し、音声通信を遂行できるように制御する。この時、前記表示部８０にはテレビ映像信号及び(または)ＯＳＤ信号が表示されることができる。また前記テレビモードでデータ通信が発生された場合、前記制御部１０は文字通信であると、前記テレビ映像信号が表示される画面に文字データを表示することもできる。
【００２１】
チューナー５０は前記制御部１０の制御下で選択されたチャネルのテレビ映像信号を受信し、受信されるテレビ映像信号を周波数変換する機能を遂行する。デコーダ６０は前記チューナー５０から出力されるテレビの複合映像信号を復調及びデコーディングする機能を遂行する。即ち、前記デコーダ６０は前記複合映像信号から音声及び映像信号を分離し、前記分離された音声信号及び映像信号をデコーディングして、音声信号は前記オーディオ処理部２５に伝送し、前記映像信号は映像処理部７０に伝送する。また前記デコーダ６０は前記テレビ映像信号をデコーディングしてカラー色信号(Ｒ、Ｇ、Ｂ)及び同期信号(水平同期信号及び垂直同期信号)を出力する。
【００２２】
映像処理部７０は前記制御部１０とデータを通信し、前記制御部１０のテレビモード及び通信モード制御下で前記制御部１０から出力される使用者データ及び前記デコーダ６０から出力されるテレビ映像信号を表示するための信号処理機能を遂行する。前記映像処理部７０はテレビモード時、前記デコーダ６０から出力される映像信号及び前記制御部１０から出力される使用者データを処理して、表示部８０の対応される領域に出力する機能を遂行する。ここで、前記使用者データは現在の時間、バッテリ残量表示、受信感度などを含み、前記テレビモードの状態変更に従う状態データも含む。前記映像処理部７０は前記テレビ信号をフレーム大きさに処理して出力し、前記テレビ映像データと使用者データをそれぞれ区分して出力する。また前記映像処理部７０は通信モード時、テレビモードまたはＯＳＤモードに通信をサービスすることができる。即ち、テレビモードで通信モードを遂行する場合、前記映像処理部７０はテレビ映像データと、制御部１０から出力される通信モードの使用者データを出力する。またＯＳＤモードで通信モードを遂行する場合、前記映像処理部７０は前記テレビ映像データを遮断し、前記制御部１０から出力される通信モードのデータを表示する。この時、前記通信モードのデータは文字メッセージ、または加入者情報などになることができる。
【００２３】
前記表示部８０は通信モード時、前記制御部１０から出力されるデータを表示し、テレビモード時、前記映像処理部７０から出力されるテレビ映像データ及び使用者データをそれぞれ対応される領域に表示する。前記テレビモード時、前記表示部８０は前記映像処理部７０から出力されるテレビ映像信号を第１表示領域に表示し、使用者データを第２表示領域に表示する。また前記表示部８０はメニューのようなソフトキーを表示する第３表示領域をさらに設けることができる。通信モード時、前記表示部８０はテレビモードであると前記第１表示領域にテレビ映像信号を表示し、第２表示領域に通信モード時の使用者データを表示し、ＯＳＤモードでは前記第１及び第２表示領域に通信モード時のデータを表示する。ここで、前記表示部８０はＬＣＤ(Liquid Crystal Display)を使用することができ、このような場合、前記表示部８０はＬＣＤ制御部(ＬＣＤ controller)、映像データを貯蔵することができるメモリ、及びＬＣＤ表示素子などを設けることができる。ここで、前記ＬＣＤをタッチスクリーン(touch screen)方式で具現する場合、前記キーパッド２７と表示部８０は入力部になることができる。
【００２４】
図１を参照してテレビ画面を表示する携帯用電話機の動作を説明する。先ず、通信モード時、使用者がキーパッド２７を通じてダイアリング動作を遂行した後、通話キーを押すと、前記制御部１０はこれを感知し、データ処理部２３を通じて受信されるダイアル情報を処理した後、ＲＦ部２１を通じてＲＦ信号に変換して出力する。以後、相手加入者が応答信号を発生すると、前記ＲＦ部２１及びデータ処理部２３を通じてこれを感知する。以後、使用者はオーディオ処理部２５を通じて音声通話路が形成され通信機能を遂行するようになる。また着信モード時、前記制御部１０はデータ処理部２３を通じて着信モードであることを感知し、オーディオ処理部２５を通じてリング信号を発生する。以後、使用者が応答すると、前記制御部１０はこれを感知し、オーディオ処理部２５を通じて音声通話路が形成され通信機能を遂行するようになる。前記発信及び着信モードでは音声通信を例に挙げて説明しているが、前記音声通信以外にパケットデータ及び映像データを通信するデータ通信機能を遂行することもできる。また待機モード、または文字通信を遂行する場合、前記制御部１０は前記映像処理部７０が前記ＯＳＤモードで動作するように制御する。前記ＯＳＤモードで前記制御部１０は通信モード時に発生される使用者データを前記映像処理部７０に伝送し、前記映像処理部７０は前記制御部１０から出力される使用者データが前記表示部８０の第１及び第２表示領域に表示されるように出力する。
【００２５】
二番目に、テレビモード時の動作を説明する。図２は図１の構成で本発明の実施形態に従うテレビ受信器の構成を示す図である。
【００２６】
図２を参照すると、使用者がテレビモードを選択すると、前記制御部１０はこれを映像処理部７０に通報する。すると、前記映像処理部７０はチューナー５０にチャネル選択のめの制御データを出力し、前記デコーダ６０を駆動する。前記チューナー５０は前記映像処理部７０から出力されるチャネル制御データに対応されるチャネルに同調され、前記同調されたチャネルを通じて受信されるテレビ映像信号を受信及び周波数変換してデコーダ６０に出力する。前記デコーダ６０は前記受信されるテレビ映像信号をデコーディングしてＲＧＢアナログ映像信号及び同期信号(水平及び垂直同期信号)を出力する。即ち、前記デコーダ６０は受信される複合映像信号から色信号を分離して出力する機能を遂行する。ここで、前記デコーダ６０はＮＴＳＣ(National Television System Committee)、ＰＡＬ(Phase Alternation Line)またはＳＥＣＡＭ(Sequential Coleur Avec Memoire)方式のデコーダになることができる。
【００２７】
前記映像処理部７０は前記デコーダ６０から出力されるＲＧＢ映像信号及び同期信号を含むテレビ映像信号を受信し、前記受信されたテレビ映像信号に使用者データを付加して表示部８０に表示する。この時、前記使用者データは制御部１０から出力する使用者データになることができる。また、前記使用者データは前記制御部１０の制御下で前記映像処理部７０で生成されることもできる。前記使用者データは前記テレビ映像信号にオンスクリーン形態で表示(On Screen Display:ＯＳＤ)される。前記映像処理部７０はＲＧＢアナログのテレビ映像信号を受信し、前記アナログ映像信号を内蔵しているＡ／Ｄ変換器(Analog to Digital Converter:ＡＤＣ)によりデジタルデータに変換して前記表示部８０に出力する。前記映像処理部７０は前記制御部１０から出力される使用者データ、または前記制御部１０の制御下で内部に生成される使用者データをＯＳＤに表示することができ、前記表示されるテレビ画面のキャプチャー(capture)機能及びＯＳＤのブロックコピー(block copy)機能を有する。
【００２８】
このようなテレビモードで通信モードが発生されると、前記制御部１０は映像処理部７０に通信モードの発生と、使用者により指定されたテレビモード、またはＯＳＤモードを知らせる。この時、前記通信モードが発生された状態でテレビモードが指定されていると、前記制御部１０は通信モードで発生されるデータを前記映像処理部７０に伝送する。この時、前記映像処理部７０は受信されるテレビ映像信号を表示部８０の第１表示領域に表示すると同時に、第２表示領域に受信される通信モードのデータを表示する。また前記表示部８０の第１及び第２表示領域にテレビ映像信号が拡大され表示されている場合、前記映像処理部７０は前記制御部１０から出力される通信モードのデータをブロックコピーして表示されるテレビ映像画面上に表示する。また前記通信モードが発生された状態でＯＳＤモードが指定されていると、前記映像処理部７０は受信される通信モードのデータを前記第１及び第２表示領域に表示する。
【００２９】
本発明の実施形態では前記使用者データは制御部１０から出力されると仮定し、前記使用者データは表示部に表示される映像データ以外の全てのデータを含むと仮定する。以下の説明で、前記使用者データはＯＳＤデータと称する。また前記ＯＳＤデータは前記テレビ映像信号のカラーより小数のカラーを有することができ、本発明の実施形態では前記テレビ映像データは６５５３６カラーを有し、前記ＯＳＤデータは４０９６カラーを有すると仮定する。
【００３０】
本発明の実施形態に従うレジスタマップ(register map)は下記表１Ａ乃至表１Ｅのようになる。前記レジスタは前記制御部１０によりアクセスされる。下記表１でＷは制御部１０が映像処理部７０にライトのみが可能なレジスタコマンドを意味し、制御部１０がこれをリードしても意味はない。またＲは制御部１０が映像処理部７０でリードのみが可能なレジスタコマンドを意味し、制御部１０はこれを変更することができず、このようなレジスタはプロテクトされたレジスタである。Ｒ／Ｗは制御部１０が映像処理部１０にリード及びライトが可能なレジスタコマンドであることを意味する。そして下記表１のようなレジスタコマンドをアクセスする時、前記制御部１０はアドレスの最上位ビットＭＡ１６を０に設定し、下位アドレスＭＡ[１５:０]にレジスタコマンドに対応されるアドレスを出力する。前記制御部１０が前記映像処理部７０に使用者データをアクセスする場合には、前記アドレス最上位ビットＭＡ１６を１に設定してアドレッシングする。
【００３１】
【表１Ａ】
2006325235.tif 000003
【００３２】
【表１Ｂ】
2006325235.tif 000004
【００３３】
【表１Ｃ】
2006325235.tif 000005
【００３４】
【表１Ｄ】
2006325235.tif 000006
【００３５】
【表１Ｅ】
2006325235.tif 000007
【００３６】
図３は図１及び図２の映像処理部７０の詳細ブロック構成を示しており、図４は前記制御部１０と映像処理部７０間のデータアクセスタイミングを示している。
【００３７】
図３及び図４を参照して前記映像処理部７０の動作を説明すると、Ａ／Ｄ変換器１１１は前記デコーダ６０から出力されるＲＧＢアナログ信号をデジタル変換する。ここで、前記Ａ／Ｄ変換器１１１は前記ＲＧＢアナログ信号を１８ビットのＲＧＢデジタルデータ(６５５３６カラー)に変換すると仮定する。
【００３８】
スケーラ(format scaler)１１３は前記Ａ／Ｄ変換器１１１から出力されるＲＧＢデジタルデータと前記デコーダ６０から出力される水平同期信号ＨＳＹＮＣ及び垂直同期信号ＶＳＹＮＣを受信し、前記同期信号を基準に前記ＲＧＢデジタルデータの大きさをスケーリングする。前記スケーリング動作は下記のようである。先ず、スケーラ１１３は表示画像大きさを決定する。二番目に、水平及び垂直のそれぞれに対して画像大きさＶＸＳＩＺＥ及びＶＹＳＩＺＥを設定する。本発明の実施形態では前記テレビ映像信号を最大２２０*１７６画素から最小１００*７５画素の範囲内でスケーリングすると仮定する。三番目に、スケーリング率(拡大/縮小率)を設定する。四番目に、水平方向に対しては７２０*４０９６/ＶＸＳＩＺＥを計算してこれをＨＬＳＲに設定し、垂直方向に対しては２４０*２０４８/ＶＹＳＩＺＥを計算してこれをＶＬＳＲに設定する。本発明の実施形態では入力される映像信号を最大２２０*１７６画素にスケーリングすると仮定する。また前記スケーラ１１３は前記ＲＧＢ１８ビットデータをＲＧＢ１６ビットデータに変換する。ここで、前記１６ビットのデータ[１５:０]は５ビットのＲ(Red)データ[１５:１１]、６ビットのＧ(Green)データ[１０:５]及び５ビットのＢ(Blue)データ[４:０]で構成することができる。
【００３９】
メモリ１３１、１３３及び１３５はフレーム大きさ(１７６*２２０*１２ビット)のデータを貯蔵するメモリである。テレビモードで、前記メモリ１３１は使用者データを貯蔵するメモリとして使用され、メモリ１３３及び１３５は映像データを貯蔵するメモリとして使用される。またＯＳＤモードで、前記メモリ１３１及び１３３は使用者データを貯蔵するメモリとして使用され、メモリ１３５は背景画面データを貯蔵するメモリとして使用される。
【００４０】
メモリ制御部１２３は前記制御部１０の制御下で前記メモリ１３１、１３３及び１３５のアクセスを制御する機能を遂行する。前記メモリ制御部１２３はテレビモード及びＯＳＤモードに応じて前記メモリ１３１、１３３及び１３５を区分して制御する。テレビモードで、前記メモリ制御部１２３は前記制御部１０から出力される使用者データを第１メモリ１３１に貯蔵し、前記スケーラ１１３から出力される現在のフレーム映像データを前記第２メモリ１３３(または第３メモリ１３５)に貯蔵し、前記第３メモリ１３５(または第２メモリ１３３)に貯蔵された以前フレーム映像データを出力する。前記メモリ制御部１２３は前記メモリ１３３及び１３５に受信されるテレビのＲＧＢ映像データをフレーム単位に貯蔵及び出力する。この時、前記メモリ１３３に現在のフレーム映像データを貯蔵する場合、前記メモリ１３５に貯蔵された以前フレームの映像データを出力し、前記メモリ１３５に現在フレームの映像データを貯蔵する場合、前記メモリ１３３に貯蔵された以前フレームの映像データを出力する。即ち、前記メモリ１３３及び１３５をアクセスする時、前記メモリ制御部１２３は受信されるフレームデータを貯蔵すると同時に貯蔵されていた以前フレームデータを出力することにより、テレビ映像信号を実時間に処理する。即ち、テレビ映像信号を表示する時、秒当たり３０フレームの映像データを処理すべきであるので、前記メモリ制御部１２３は２つのフレームメモリを利用して映像信号を実時間に表示部８０に伝送する。前記メモリ制御部１２３はフレーム区間(垂直同期信号区間)の間、前記フレーム映像データを表示部８０に出力し、次のフレーム開始前の休止区間で前記メモリ１３１に貯蔵されている使用者データを出力する。従って、前記メモリ制御部１２３は１フレームの映像信号を表示する区間で映像信号が存在する区間(１垂直同期信号区間)では前記メモリ１３３、または１３５に貯蔵されたフレーム映像データを出力し、休止区間で前記メモリ１３１に貯蔵された使用者データを出力する。
【００４１】
ＯＳＤモードで、前記メモリ制御部１２３は、前記メモリ１３１及び１３３は使用者データをアクセスするメモリとして使用し、メモリ１３５は背景画面データを貯蔵するメモリとして使用する。この時、前記メモリ１３１及び１３３は同時に使用しなく一つのみを設定して使用することもできる。
【００４２】
ＯＳＤ混合部(On Screen Data mixer)１２５は、前記メモリ制御部１２３から出力されるフレーム大きさの映像データと前記使用者データをオンスクリーンデータに混合して前記表示部８０に出力する。タイミング制御部１２１はテレビモードで検出された同期信号(水平同期信号ＨＳＹＮＣ、垂直同期信号ＶＳＹＮＣ)及び画素クロック(DOTCLK)を発生する。前記タイミング制御部１２１は前記ＯＳＤ混合部１２５から出力される映像データの画素、ライン映像データ及びフレーム映像データの同期を合わせて前記表示部８０に出力されるように制御する。
【００４３】
制御インターフェース１１７は前記制御部１０と映像処理部７０間の使用者データ及びモード制御データをインターフェースする。本発明の実施形態で前記制御インターフェース１１７は前記制御部１０と１７ビットのアドレスと１６ビットのデータをインターフェースする。この時、前記アドレスの最上位ビットＡ１６が１である場合は映像処理部７０のフレームメモリをアクセスし、０である場合には映像処理部７０のレジスタをアクセスする。図４を参照すると、先ず、前記制御部１０が前記映像処理部７０にデータを出力する場合、前記制御部１０は２１１のように映像処理部７０を選択し、２１３のように記録モードを活性化させる。そして前記２１７のようにアドレスＭＡ[１６:０]及び使用者データＭＤ[１５:０]を出力して使用者データを前記映像処理部７０に記録する。この時の前記使用者データは現在の時間、バッテリの残量、受信感度強さなどのデータと、テレビ画面制御及びモードを設定するための制御データと、メニューデータなどを含むことができる。前記制御部１０が前記映像処理部７０からデータをアクセスする場合、前記制御部は２２１のように映像処理部７０を選択し、２２５のようにリードモードを活性化させる。そして前記２２７のようにアドレスＭＡ[１６:０]を出力して該当アドレスの使用者データＭＤ[１５:０]をアクセスする。前記制御インターフェース１１７は前記図４のように制御部１０の出力を映像処理部７０で処理できるようにインターフェースする機能を遂行する。
【００４４】
Ｉ２Ｃインターフェース１１５は２のスレイブ装置(slave device)を制御することができるＩ２Ｃバスマスタを有する。前記Ｉ２Ｃインターフェース１１５は前記制御インターフェース１１７の制御下で前記チューナー５０及びデコーダ６０を制御する。
【００４５】
ＯＳＤ制御部(ＯＳＤ ＲＡＭ Block Copy Accelerator)１１９は前記使用者データの任意長方形領域を任意位置にコピー(copy)することができる。前記ＯＳＤ制御部１１９は前記制御インターフェース１１７から出力される制御部１０の制御データにより任意の長方形領域のデータを表示される映像画面の任意の位置にブロックコピーすることができる。前記コピー機能はメモリ内またはメモリ間でも可能である。前記テレビモードである場合、メモリ１３１内でのブロックコピーのみが可能である。ＯＳＤモードである場合、メモリ１３１内、メモリ１３３内、メモリ１３１及び１３３間のブロックコピーが可能である。
【００４６】
前記ＯＳＤ制御部１１９がＯＳＤブロックコピーを遂行する動作は下記の通りであり、前記ブロックコピーを遂行するレジスタコマンドは前記表１に表示されている。先ず、制御部１０はブロックコピーのための各種パラメータを設定してＯＳＤ制御部１１９に出力する。前記パラメータ設定過程ではＢＣ_ＳＥＬ０及びＢＣ_ＳＥＬ１にコピーするメモリを設定し、ＢＣＸ１及びＢＣＹ１にコピーする長方形領域の左側及び上側座標を指定し、ＢＣＸ２及びＢＣＹ２にコピーする長方形領域の右側及び下側座標を指定し、ＢＣＤＸ及びＢＣＤＹにＸ及びＹ方向のコピー移動量を設定し、ＢＣＤＸＳＩＧ及びＢＣＤＹＳＩＧにＸ及びＹ方向のコピー移動方向を設定する。以後、二番目に、前記ブロックコピーを実行する。この場合、ＢＣ_ＳＴＡＲＴが１に設定されると、前記ＯＳＤ制御部１１９は前記設定されたパラメータに応じてブロックコピーを実行する。前記ブロックコピー実行中ではＢＣ_ＢＵＳＹが１に設定され、前記制御部１０のアクセスが不可能になる。前述したように映像処理部７０は前記制御部１０の表１のようなレジスタコマンドにより表示モード決定機能、表示出力切換機能、メモリ１３１、１３３及び１３５の電力制御機能、ＯＳＤ表示制御機能、背景画面決定機能、制御部１０のアクセスメモリ選択機能、ＲＧＢデータの反転機能、ブロックコピー機能、画面キャプチャー機能、表示部８０の表示位置調整、ＴＶ画面の回転機能、ＴＶ画面の表示開始位置調整機能、ＴＶ画面のスケーリング機能、明るさ及びコントラスト調整機能、Ｉ２Ｃ通信機能を遂行する。
【００４７】
前記映像処理部７０の色表現のビット割り当て機能を説明する。前記Ａ／Ｄ変換器１１１から出力されるＴＶ画像データ及び背景画面データ(wall paper data)は１６ビット／１ピクセル(１６bit/１pixel)に表現される。前記１６ビットデータ[１５:０]に対するビット構成は下記表２のようになる。
【００４８】
【表２】
2006325235.tif 000008
【００４９】
また、ＯＳＤデータは１２ビットに表現される。前記１２ビットデータ[１１:０]に対するビット構成は、下記表３のようになる。
【００５０】
【表３】
2006325235.tif 000009
【００５１】
前記映像処理部７０の表示モード設定機能を説明する。前記レジスタＴＶ_ＭＯＤＥが１であると、前記映像処理部７０はＴＶモードを遂行し、０であると、ＯＳＤモードを遂行する。この時、動作モードがＴＶモードであると、前記映像処理部７０は、前記メモリ１３１は使用者データをアクセスするためのＯＳＤ用メモリとして使用し、メモリ１３３及び１３５はＴＶ画像データをアクセスするためのフレームメモリとして使用する。前記動作モードがＯＳＤモードであると、前記映像処理部７０は、前記メモリ１３１及び１３３は使用者データをアクセスするためのＯＳＤ用メモリとして使用し、メモリ１３５は背景画面用メモリとして使用する。この時、前記メモリ１３１及び１３５に貯蔵された使用者データは同時に表示できなく、レジスタＤＩＳＰ_ＳＥＬにより前記ＯＳＤ用メモリが選択される。
【００５２】
前記映像処理部７０の表示出力切り換え機能を説明する。レジスタＶＩＤＥＯＯＮが１であると、表示部８０にテレビ映像画面を表示する。前記レジスタＶＩＤＥＯＯＮが０であると、前記映像処理部７０は同期信号は出力するが、映像画面は１色(黒色)のみ出力する。前記映像処理部７０は前記レジスタＯＳＤＯＮが１であると、ＯＳＤ映像画面を表示し、前記ＯＳＤＯＮが０であると、ＯＳＤ画面を表示しない。また前記映像処理部７０はレジスタＴＶＯＮが１であると、ＴＶ映像画面を表示し、前記ＴＶＯＮが０であると、ＴＶ画面部分は１色(黒色)のみに表示する。
【００５３】
前記フレームメモリの電力制御機能を説明する。前記メモリ１３１、１３３、１３５の電力制御機能を説明すると、前記レジスタＲＡＭ０ＰＯＮ、ＲＡＭ１ＰＯＮ、ＲＡＭ２ＰＯＮにより、それぞれ対応されるメモリ１３１、１３３、１３５の電源ＯＮ／ＯＦＦが可能である。この時、前記レジスタ値を１に設定すると、電源がオン状態になり、対応されるメモリの使用が可能な状態になり、０に設定すると対応されるメモリの電源はオフ状態になる。
【００５４】
前記映像処理部７０がＯＳＤ表示を制御する機能を説明する。前記ＯＳＤ表示制御機能は前記映像処理部７０がＯＳＤモード時(ＴＶ_ＭＯＤＥ＝０)、レジスタＤＩＳＰ_ＳＥＬにより、ＯＳＤ表示画面を選択することができる機能を意味する。前記レジスタＤＩＳＰ_ＳＥＬを０に設定すると、前記映像処理部７０は前記メモリ１３１の内容にＯＳＤ画面を表示し、ＤＩＳＰ_ＳＥＬを１に設定すると、前記映像処理部７０はメモリ１３３の内容にＯＳＤ画面を表示する。前記ＯＳＤモード時、レジスタＷＰ_ＤＩＳＰ＝１に設定すると、前記映像処理部７０はメモリ１３５の内容をアクセスして背景画面に表示し、０に設定すると、前記映像処理部７０は黒画面を表示する。
【００５５】
前記映像処理部７０が背景画面を設定する機能を説明する。前記透明色設定機能を説明すると、前記映像処理部７０がＯＳＤデータとＴＶ画像データ、または背景画面を重ねて表示する場合、前記ＯＳＤデータは透明色を使用する。このためにレジスタＴＨＲＵＰＴＮに設定されているデータとＯＳＤ画像データが一致した場合、ＯＳＤ画像データは透明色として処理される。前記ＯＳＤが透明色である場合は、該当位置のＴＶ画像または背景画面が表示される。前記透明色はレジスタＴＨＲＵＥＮが０である場合に有効である。前記レジスタＴＨＲＵＥＮが１である場合、前記映像処理部７０は前記ＯＳＤ画像データで指定される色をＯＳＤ画面に表示する。
【００５６】
前記アクセスメモリ選択機能を説明する。前記制御部１０のアクセスメモリ選択機能を説明すると、前記制御部１０はアドレスのＭＳＢ(ＭＡ１６)を０に出力すると、ＯＳＤ用メモリをアクセスすることができる。この時、前記アドレス(ＭＡ１５〜ＭＡ０)により指定される領域のＯＳＤメモリがアクセスされる。前記アクセス可能なメモリはレジスタＲＷ_ＳＥＬにより選択可能である。前記制御部１０はＯＳＤモードで前記レジスタＲＷ_ＳＥＬ＝０、１及び２を利用して、それぞれメモリ１３１、１３３、及び１３５をアクセスすることができる。しかし、ＴＶモード(ＴＶ_ＭＯＤＥ＝１)である場合、前記制御部１０はメモリ１３１のみを直接アクセスすることができる。前記ＴＶ画像をキャプチャーする場合、前記メモリ１３３または１３５から出力されるＴＶ画像をリードすることができるが、前記制御部１０は前記メモリ１３３及び１３５を選択することができない。この場合、前記映像処理部７０はキャプチャー時に完全なＴＶ画像を出力するメモリを自動選択し、制御部１０に前記キャプチャーされたデータを出力する。
【００５７】
前記映像処理部７０がＲＧＢ映像データを反転する機能を説明する。前記レジスタＲＧＢＩＮＶが１に設定された場合、映像処理部７０は前記ＯＳＤ画像データのビットを反転させた色を表示する。そして前記ＲＧＢＩＮＶが０に設定されると、前記映像処理部７０はＯＳＤ画像データをそのままに表示する。
【００５８】
前記映像処理部のＯＳＤブロックコピー機能を説明する。前記ブロックコピー機能は前記制御部１０のレジスタコマンドに応答してＯＳＤ制御部１１９により遂行される。前記ＯＳＤ制御部１１９は任意の長方形(rectangular)領域のデータを任意の位置にブロックコピーすることができる。前記コピー機能はメモリ内またはメモリ間で可能である。前記ＴＶモード(ＴＶ_ＭＯＤＥ＝１)である場合、前記ブロックコピーはメモリ１３１内のみで可能である。ＯＳＤモード(ＴＶ_ＭＯＤＥ＝０)である場合、前記ブロックコピーはメモリ１３１内、またはメモリ１３３内、またはメモリ１３１と１３３との間で可能である。前記ブロックコピー機能を遂行するためには、先ず、ブロックコピーのためのレジスタコマンド、またはパラメータを設定し、以後ブロックコピーを実行するレジスタコマンドに応じて前記ＯＳＤ制御部１１９がブロックコピーを遂行する。前記ブロックコピーのためのパラメータ設定過程を説明すると、レジスタＢＣ_ＳＥＬ０にブロックコピーするデータを貯蔵しているソースメモリを設定し、ＢＣ_ＳＥＬ１にブロックコピーしたデータを貯蔵するための目的地メモリを設定し、ＢＣＸ１、ＢＣＹ１にソースメモリの長方形領域の左側及び上側座標を指定し、ＢＣＸ２、ＢＣＹ２にソースメモリの長方形領域の右側及び下側座標を指定し、ＢＣＤＸ、ＢＣＤＹにＸ、Ｙ方向のブロックコピー移動量を設定し、ＢＣＤＸＳＩＧ、ＢＣＤＹＳＩＧにＸ、Ｙ方向のコピー移動方向を設定する。以後、前記のようにブロックコピーするパラメータが設定された後、前記制御部１０がＢＣ_ＳＴＡＲＴに１を記録すると、前記ＯＳＤ制御部１１０は前記のように指定されたパラメータによりブロックコピーを遂行する。この時、前記ブロックコピーの実行中にはレジスタＢＣ_ＢＵＳＹが１に設定され、従って、前記制御部１０が前記メモリをアクセスできないようになる。
【００５９】
前記映像処理部７０のＴＶ画面撮影機能を説明する。前記ＴＶ画面をキャプチャーする機能を説明すると、前記映像処理部７０は表示中であるＴＶ画面の映像データをキャプチャーして制御部１０に出力することができる。前記のようにＴＶ画面キャプチャー機能はＴＶモード(ＴＶ_ＭＯＤＥ＝１)である場合のみに有効である。前記ＴＶ画面キャプチャー動作を説明すると、先ず、制御部１０はレジスタＲＷ_ＳＥＬを０に設定し、前記ＴＶ画像の表示中にレジスタＴＶ_ＳＴＯＰを１に設定する。すると前記映像処理部はＴＶ画像の表示を停止する。前記映像処理部７０が停止画面を遂行している状態で、前記制御部１０は前記現在画像データを出力しているメモリのデータをリードする。前記画面をキャプチャーした後、前記制御部１０がレジスタＴＶ_ＳＴＡＲＴを１に設定すると、前記映像処理部７０はＴＶ画面表示を再開する。
【００６０】
前記映像処理部７０の表示部８０の画面表示位置を調整する機能を説明する。前記表示部８０の表示位置調整機能はレジスタＹＡＤＪ、ＸＡＤＪにより微細調整が可能である。前記レジスタＹＡＤＪ、ＸＡＤＪはそれぞれ４ビットであり、２の補数表現に表示される。前記レジスタＹＡＤＪの値領域は＋７〜−２であり、上方向が−を示し、下方向が＋を示す。前記レジスタＸＡＤＪの値領域は＋１〜−８であり、左方向が−を示し、右方向が＋を示す。
【００６１】
前記映像処理部７０が表示される画面を回転させる機能を説明する。前記映像処理部７０は表示されるＴＶ画面の回転が可能である。前記ＴＶ表示の回転機能はレジスタＴＶ_ＲＯＴを設定することにより可能である。前記ＴＶ_ＲＯＴ＝０、１、２、３で前記映像処理部７０は表示されるＴＶ画面をそれぞれ０°、９０°、１８０°、２７０°回転させ表示する。
【００６２】
前記映像処理部７０が表示されるＴＶ画面の開始位置を調整する機能を説明する。前記映像処理部７０は前記入力されたアナログＲＧＢ信号に対して、ＳＹＮＣ入力に対する相対的な表示位置調整が可能である。水平方向に対して、前記レジスタＴＶＨＰＯＳは初期値が１２４であるが、これを調整することによりＨＳＹＮＣの下向き位置から、実際に表示させる位置を調整することが可能である。前記ＴＶＨＰＯＳ値を小さくすると、ＨＳＹＮＣ下向き位置に近接するようになる。垂直方向も同一にレジスタＴＶＶＰＯＳで調整することが可能である。
【００６３】
前記映像処理部７０が表示されるＴＶ画面の明るさ及びコントラストを調整する機能を説明する。前記表示されるＴＶ画面の明るさ(Brightness)及びコントラスト(Contrast)はそれぞれレジスタＢＲＩＧＨＴ、ＣＯＮＴＲＡＳＴに値を設定することに可能である。前記レジスタＢＲＩＧＨＴは６ビットであり、２の補数表現に表示され、前記レジスタＣＯＮＴＲＡＳＴは正の整数である。前記レジスタＢＲＩＧＨＴ及びＣＯＮＴＲＡＳＴの値を指定することにより、映像処理部７０は表示されるＲＧＢ信号のそれぞれに対して次のような演算を行う。
【００６４】
ＬＣＤ出力＝(ＴＶ入力＋ＢＲＩＧＨＴ)*ＣＯＮＴＲＡＳＴ/１２８
【００６５】
映像処理部７０が受信される映像信号をスケーリングする機能を説明する。前記スケーリングはスケーラ１１３が遂行する。前記スケーラ１１３はスケーリングを次のような順序に実行する。また、下記のレジスタ設定値はＴＶ表示を回転させた場合にも、０°状態で水平及び垂直を考慮する。先ず、表示画像サイズを設定する。前記スケーラ１１３は所望する画像サイズを水平・垂直それぞれに対してＶＸＳＩＺＥ、ＶＹＳＩＺＥに設定し、最小サイズは１００*７５である、二番目に表示開始位置を設定する。前記スケーラ１１３はＴＶ_ＸＰＯＳ、ＴＶ_ＹＰＯＳにＴＶ画面の表示開始位置を設定する。三番目に前記スケーラ１１３はスケーリング率(拡大／縮小率)を設定する。この時、前記水平方向は７２０*４０９６/ＶＸＳＩＺＥを計算してこれをＨＬＳＲに設定し、垂直方向は２４０*２０４８/ＶＹＳＩＺＥを計算してこれをＶＬＳＲに設定する。
【００６６】
前述したようなブロックコピー及びスケーリング機能などを除外した残りの映像処理機能は、前記制御部１０のレジスタコマンドによりメモリ制御部１２３が遂行する。
【００６７】
図５は前記図１の表示部８０の表示領域を示す図である。前記表示部８０はＴＶモード時、ＴＶ映像データを表示する第１表示領域８１と使用者データを表示する第２表示領域８３とを有する。ここで、前記第１表示領域８１は前記メモリ１３３及び１３５から出力されるＱＣＩＦ(quarter common intermediate format)サイズのＴＶ画面信号を表示する領域であり、前記第２表示領域８３は前記メモリ１３１から出力される使用者データを表示する領域であり、第３表示領域８５はソフトキーをガイドするために表示する領域である。本発明の実施形態では前記表示部８０の各表示領域大きさが前記図５に示したことと同一であると仮定する。ここで、第１表示領域８１に表示されるＱＣＩＦ画面は１７６*１４４画素大きさを有し、定常状態(normal state)で表示される領域である。そして表示部８０全体に表示されるフル画面は１７６*２２０画素大きさを有する。
【００６８】
前記図５で前記使用者データ及びサブメニューを表示する第２表示領域８３の大きさを６０*１７６画素大きさにし、フォント大きさ(１８*１９画素)*３行に設定すると、前記第２表示領域８３では総６０文字データ(６０pixel)を表示することができる。この時、余白に３文字大きさを使用すると、総５７個の文字データを表示することができる。このような場合、前記メモリ１３１に前記第２表示領域８３の特性に応じて使用者データ、またはメニュー項目を貯蔵すると、ＴＶモードで使用者データ及びメニュー項目を効率的に表示することができる。
【００６９】
図６は本発明の実施形態に従うキーパッド２７及び表示部８０の構成例を示す図である。
【００７０】
前記キーパッド２７の構成で、ＴＶオンキー(ＴＶ mode ON key)３１は携帯電話機をＴＶモードに設定するキーとして、使用者が待機モードでＴＶキーを長く押すと(long click)、制御部１０は前記キー入力をＴＶオンキーに感知する。画面調整キー(ＴＶ mode screen size key)３３は表示部８０に表示される画面の大きさ及び方向を変換させるキーとして、使用者が前記ＴＶモードの設定された状態で前記ＴＶキーを短く押すと(short click)、前記制御部１０は前記キー入力を画面調整キーに感知する。本発明の実施形態では前記ＴＶオン及び画面調整を一つのＴＶキーとして具現する例を挙げて説明しているが、前記ＴＶオンキーと画面調整キーをそれぞれ独立的に具現することもできる。使用者が前記ＴＶモードでＴＶ画面信号を表示する状態で確認キー、または撮影キーを押すと、前記制御部１０は前記キー入力を画面撮影キー３５に感知する。メニューキー３７はＴＶモードの設定及びＴＶモードが設定された状態でチャネル、画面及びタイマなどを調節する機能を遂行する。
【００７１】
本発明のキーパッドは、下記表４のように具現することができる。
【００７２】
【表４】
2006325235.tif 000010
【００７３】
図７は本発明の実施形態に従う携帯電話機のテレビ画面表示動作を示す図である。
【００７４】
図７を参照すると、待機モードで通信モードが設定されると、前記制御部１０は７４１段階でこれを感知し、７５０段階で設定された通信モードを遂行する。ここで、前記通信モードは音声通信モード、文字通信モード、インタネットを利用したデータ通信などになることができる。以下の説明で通信モードは音声通信及び文字通信(Short Message Service:ＳＭＳ)を例に挙げて説明する。前記通信モードが設定されると、前記制御部１０は７５０段階で前記映像処理部７０に通信モードの設定及びＯＳＤモードの選択を通知し、通信モードで発生される使用者データを前記映像処理部７０に伝達する。すると、前記映像処理部７０のメモリ制御部１２３は、前記メモリ１３１及び１３３は使用者データを貯蔵するメモリとして使用し、メモリ１３５は背景画面情報を貯蔵するメモリとして使用する。前記映像処理部７０は前記制御部１０から出力される使用者データを前記表示部８０の第１表示領域８１及び第２表示領域８３に表示する。
【００７５】
また、携帯用電話機の待機画面状態からＴＶモードに進行する方法は、直接起動する方法とメニューを通じて起動する方法がある。先ず、直接ＴＶモードを設定するためには、使用者が前記ＴＶキーを長く押す。前記制御部１０は待機状態で前記ＴＶキー入力を受信すると、前記受信されたＴＶきーがＴＶモード設定であることを感知する。二番目に使用者がメニューキーを押した場合、前記制御部１０は前記メニューに対応される使用者データを前記映像処理部７０に伝送し、前記表示部８０上に表示されるメニューのうちＴＶ視聴を選択すると、前記制御部１０はこれがＴＶモード設定であることを感知する。ここで、前記ＴＶが動作中である状態をＴＶモードと称する。また、前述のようにＴＶモードが設定された状態で前記メニューキーが入力されると、前記制御部１０はＴＶ画面を表示する状態で該当メニューを表示できるように制御動作を遂行する。
【００７６】
先ず、待機状態で前記ＴＶキーが長く押されると、前記制御部１０は７１１段階でこれを感知し、７１３段階でＴＶモードを設定する。前記制御部１０はＴＶモードを設定するためのコマンドを前記映像処理部７０に出力する。すると前記映像処理部７０は前述したようにメモリ１３１を、使用者データを貯蔵するためのメモリに設定し、メモリ１３３及び１３５をＴＶ映像データを貯蔵するためのフレームメモリに設定する。前記制御部１０は７１５段階でＴＶチャネルを選局するための制御データを出力し、前記ＴＶチャネル制御データは制御インターフェース１１７及びＩ２Ｃマスタを通じてチューナー５０に出力される。この時、前記ＴＶモードを設定した後チャネルが指定されないと、前記制御部１０は以前状態で指定されたチャネルをアクセスできるようにチャネル制御データを出力する。
【００７７】
すると、前記チューナー５０は指定されたチャネルに同調され受信される映像信号を周波数変換し、デコーダ６０は前記映像信号をＲＧＢアナログ映像信号及び同期信号にデコーディングして出力する。前記Ａ／Ｄ変換器１１１は前記受信されるアナログ映像信号をデジタル映像データに変換し、スケーラ１１３は前記デジタル映像データを設定大きさにスケーリングする。前記メモリ制御部１２３は前記制御部１０から出力される使用者データは前記メモリ１３１に貯蔵し、現在受信されるフレーム映像データをメモリ１３３(または１３５)に貯蔵すると同時に、メモリ１３５(または１３３)に貯蔵された以前フレームのデジタル映像データを出力する。１フレームの映像データ出力を完了すると、前記メモリ制御部１２３は前記メモリ１３１に貯蔵されている使用者データを出力する。従って１フレームの区間で先ずフレーム映像データを出力し、残りの区間で使用者データを出力する。以後、次のフレームの映像データが受信されると、前記メモリ制御部１２３は受信されるフレーム映像データをメモリ１３５(または１３３)に貯蔵すると同時に、メモリ１３３(または１３５)に貯蔵された以前フレームのデジタル映像データを出力する。前記メモリ制御部１２３は前記のようにフレームメモリ１３３及び１３５のライト及びリード動作を同時に遂行することにより、前記受信される映像信号を実時間に表示できるようにメモリを制御する。
【００７８】
前述したように、制御部１０は７１７段階で映像処理部７０を受信される映像データを表示するように制御し、また前記映像データに対応される使用者データを表示できるように前記映像処理部７０に出力する。この時、前記メモリ制御部７０から出力されるテレビ画面はＱＣＩＦ画面であり、従って、図８(A)に示したように前記表示部８０は第１表示領域８１にＱＣＩＦサイズ画面を表示し、第２表示領域８３に使用者データを表示し、第３表示領域８５にはソフトキーガイドを表示する。
【００７９】
前述したように受信されるＴＶ映像信号を表示する状態でチャネル変更キーが受信されると、前記制御部１０は７１５段階で現在チャネルを新たなチャネルを変更し、前記７１７段階の動作を反復遂行する。この時、チャネル変更のための方法は、ＴＶモードが遂行される状態で数字キーを利用してチャネル番号を直接入力するか、ナビゲーションキーの左右キーを利用して所望するチャネルを指定することができる。またメニューモードを遂行する状態でチャネルを変更しようとする場合には、メニューで自動チャネルメニューを選択した後、ナビゲーションのアップダウンキーを利用して所望するチャネル番号を選択することができる。
【００８０】
また、受信されるＴＶ映像信号を表示する状態で画面調整キーが入力されると、前記制御部１０は７２１段階でこれを感知し、７２３段階で前記映像処理部７０に画面調整のためのコマンドを出力して画面大きさ調整及び画面を回転させる。ここで前記ＴＶ画面の大きさは前述したように全体画面(full size:１７６*２２０)と縮小画面(ＱＣＩＦsize:１７６*１４４)の２種類がある。そして画面の回転方向は０度、９０度、２７０度がある。
ＴＶモードが起動されると、図８(A)のようにデフォルト(default)設定値であるＱＣＩＦ大きさ画面が表示される。前記図８(A)のような画面が表示される状態で前記ＴＶキーが短く入力されると、前記制御部１０はこれを感知し、前記映像処理部７０に図８(B)のように９０度回転させ全体画面に表示されるように命令する。以後、再びＴＶキーが短く入力されると、前記制御部１０はこれを感知し、前記映像処理部７０に図８(C)のように２７０度回転させ全体画面に表示されるように命令する。前記図８(C)のような画面が表示される状態で再びＴＶキーが短く入力されると、前記制御部１０は前記図８(A)のようなＱＣＩＦ大きさ画面が表示されるように制御する。
【００８１】
前記図８(A)のようなＱＣＩＦ大きさ画面はＴＶモードの各種メニュー設定及び直接アクセス(direct access)機能が有効な画面である。しかし、図８(B)及び図８(C)のような全体画面(full size_９０度、full size_２７０度)の場合、前記制御部１０は前記映像処理部７０に使用者データを表示しないように命令する。従って、全体画面が表示される場合、前記表示部８０の第２表示領域８３及び第３表示領域８５に使用者データ及びソフトキーデータが表示されない。これは使用者が全体画面大きさのＴＶ画面を視聴できるようにするためである。前記ソフトキーガイド領域である第３表示領域８５にメニューキーが表示されない状態であっても、使用者がキーパッド２７上のメニューキーを押すと、前記制御部１０はメニューキーサービスを遂行する。
【００８２】
前記ＴＶモードを遂行する状態で画面撮影キーが入力されると、前記制御部１０は７２５段階でこれを感知し、７２７段階で前記映像処理部７０に画面撮影を命令する。前記画面撮影キーは前記図６に示したように、確認キーや前記表示部８０のソフトキーガイド表示領域である第３表示領域８５に表示されている撮影キーを選択して駆動させることができる。前記画面撮影(screen capture)機能はＴＶモードを遂行している状態で表示中である画面を停止画面に撮影して貯蔵する機能である。前記ＴＶ画面撮影は図８(A)のようなＱＣＩＦ画面表示中であるか、図８(B)及び図８(C)のような全体画面表示中でも可能であるが、撮影された画面は前記ＱＣＩＦ大きさに貯蔵されるべきである。これは前記図９(A)のように端末機の背景画面設定時、必要なデータ大きさに統一するためのものである。しかし、前記撮影される映像画面の大きさは全体画面大きさに設定することもできる。
【００８３】
前記画面撮影モードはＴＶモードを遂行する状態で、図９(A)のように前記表示部８０のソフトキーガイド表示領域の右側に表示されている撮影キーをクリックするか、またはキーパッド２３の確認キーをクリックすると、前記制御部１０はこれを画面撮影に感知し、前記映像処理部７０に画面撮影を命令する。すると前記映像処理部７０は現在表示しているフレームの映像データを続けてアクセスして維持させ、従って前記表示部８０は前記映像処理部７０から出力される映像データを停止画面に表示する。前記のようにＴＶ画面を撮影して停止画面に表示される映像データは前記制御部１０でアクセスすることができる。即ち、前記制御部１０は前記映像処理部７０で停止画面に出力している映像データをアクセスした後、停止画面に名前を付いて写真に貯蔵することができる。図９(A)乃至図９(C)は撮影後獲得した写真を貯蔵する過程を説明する図である。図９(A)のような画面表示状態で撮影キーを押した場合、図９(B)のように停止画面に表示される。前記図９(B)のように停止画面に画面が表示される状態で確認キーを押すと、前記制御部１０は前記映像処理部７０から出力される映像データをアクセスして図９(C)のように貯蔵する。この時、撮影後貯蔵画面が表示される図９(B)のような状態で、前記制御部１０は表示部８０の第２表示領域８３にデフォルトに設定された値(例えば、写真１、写真２、写真３、．．．、)を表示し、このような状態は文字入力待機状態である。この時、前記第２表示領域８３に写真名前をハングルまたは英文に入力することができ、別の指定がない場合には前記デフォルト値により設定された名前に貯蔵する。ＴＶ画面撮影後、写真名前を入力した状態で確認キーを押すと、前記図９(C)に示したように現在画面を貯蔵することを表示し、写真貯蔵が終了されると、前記７１７段階に戻ってＴＶ画面表示機能を遂行する。
【００８４】
また、前記のようにＴＶモードを遂行しながら受信されるテレビ映像信号の表示中にメニューを選択して多様な機能を遂行することができる。使用者がメニューキーを押すと、前記制御部１０は７２９段階でこれを感知し、７３１段階でメニューを表示しながら使用者が選択したニューの機能をサービスした後、７１７段階に戻る。
【００８５】
図１０はＴＶモード時、機能をサービスする各キーの役割及びメニューを表示している。先ず、メニューキーを押すと、携帯電話機のメインメニュー項目が表示され、ここで、ＴＶメニュー項目を選択すると、前記図１０に示したように“ＴＶ視聴”及び“貯蔵された写真ビュー”メニュー項目が表示される。そして、前記ＴＶ視聴メニューを選択すると、“自動チャネル”、“画面調整”、“自動オフタイマ”などのメニューが表示され、貯蔵された写真ビューメニューを選択すると、“名前変更”、“現在写真削除”、“全体写真削除”などのメニューが表示される。
【００８６】
前記メニュー画面表示はＴＶモード(ＱＣＩＦ画面、または全体画面に表示される場合を全て含む)でメニューキーが発生されると、前記制御部１０は前記表示部８０上にＱＣＩＦ画面に表示されるように映像処理部７０に命令する。すると、前記映像処理部７０は図１１Ａ及び図１１Ｂのように映像データをＱＣＩＦ画面大きさに出力し、第２表示領域８３にメニュー項目を出力し、第３表示領域８５にソフトキーを表示する。前記図１１ＡはＴＶモードでのメニュー画面を示しており、図１１Ｂは貯蔵された写真を表示するモードでメニュー画面を表示している。
【００８７】
図１１Ａを参照すると、ＴＶモードでメニューキーを一度ずつ押す度に、前記第２表示領域８３のメニュー項目には選択することができるメニューが相異なるカラーに表示され、第３表示領域８５の中央にも選択することができるメニュー項目が表示される。第１表示領域８１の左側上段には現在の時間を表示し、右側上段には選択された画面のチャネル番号を表示する。前記のような時間及びチャネル番号は前述したようにＯＳＤ制御部１１９により遂行されるブロックコピー機能により具現される。前記図１１Ａのようにメニュー項目が表示されている状態で選択キーが押されると、前記制御部１０は該当する項目のメニューを実行できるように次の段階に進行する。
【００８８】
図１１Ｂを参照すると、貯蔵された写真ビュー状態でのメニュー表示はＴＶ画面代わりに前記第１表示領域８１に貯蔵された写真を表示し、メニューキーを押すと、前記第２画面表示領域８３のメニュー画面にはサブメニューが表示される。第３表示領域８３にはソフトキーが表示され、第１表示領域８１の上段には写真名が表示される。ここで、前記写真名も前述したようにブロックコピー機能により具現可能である。
【００８９】
また、図１１Ａ及び図１１Ｂのようなそれぞれのメニュー画面では数字キーを入力してメニュー項目を選択することもできる。そして各メニューの項目別値を設定した後、確認キーまたは取り消しキーを押すか、または確認メッセージを表示した後にＴＶモードに戻れば、予め設定されていた元の画面大きさにＴＶモードを遂行する。
【００９０】
一方、前記ＴＶモードを遂行する状態で通信モードが発生されると、前記制御部１０は的に該当する通信モードを遂行できなければならない。ここで、前記通信モードは発信及び着信通信があり得る。前記通信モードは音声通信、文字通信及びデータ通信に分類することができる。ここで前記データ通信は無線及びインタネット網を通じて遂行されることができる。この時、前記ＴＶモードで通信モードが発生されると、前記制御部１０は前記通信モードをテレビモードを遂行する状態で遂行することができ、またＯＳＤモードに遷移して前記通信モードを遂行することもできる。また、テレビモードを遂行する状態で通信モードが発生される場合には前記テレビモードの遂行を中断し通信モードを遂行した後、前記テレビモードに戻る方法を使用することもできる。本発明の実施形態では前記テレビモードで通信モードが発生される場合にはテレビモード、またはＯＳＤモードを遂行しながら該当通信モードをサービスし、前記テレビモード、またはＯＳＤモードの遂行は使用者の設定により遂行されることと仮定して説明する。
【００９１】
先ず、前記７３３段階で通信モードが発生されると、前記制御部１０は７３３段階でこれを前記映像処理部７０に通報して７３５段階で前記映像処理部７０が通信モードを遂行するように制御する。この時、前記制御部１０は使用者の指定に応じてテレビモード、またはＯＳＤモード情報も共に通報する。すると映像処理部７０は現在遂行中であるテレビモードに応じて通信モードを遂行するか、または指定されたＯＳＤモードに応じて通信モードをサービスする。この時、前記テレビモードである場合、前記映像処理部７０は前記メモリ１３３及び１３５をテレビ映像データを貯蔵するフレームメモリに指定して使用し、メモリ１３１を使用者データを貯蔵するメモリに使用する。ＯＳＤモードに指定された場合、前記映像処理部７０は前記メモリ１３１及び１３３を使用者データを貯蔵するメモリに使用し、前記メモリ１３５を背景画面データを貯蔵する領域に使用する。また、前記テレビモードで画面調整モードを遂行して表示部８０上にテレビ映像画面を表示する場合、前記映像処理部７０はＯＳＤ制御部１１９を制御して前記通信モードで発生される使用者データをＯＳＤ機能に画面上に表示する。
【００９２】
前記ＴＶモードは前記ＴＶモードが遂行されている状態で終了キー(電源キー)を押すと解除される。前記終了キーが発生されると、前記制御部１０は７３３段階でこれを感知し、７３５段階で前記映像処理部７０でＴＶ終了命令を出力した後、前記ＴＶモードを解除させる。
【００９３】
図１２Ａ及び図１２Ｂはテレビモードで通信モードを遂行する手続きを示す流れ図であり、図１３Ａ乃至図１３Ｃは前記図１２Ａ及び図１２Ｂのような通信モード手続きの遂行中に発生される使用者データを表示する図である。ここで、前記通信モードは音声通信、または文字通信のようなデータ通信である場合を仮定して説明する。
【００９４】
先ず、使用者が前記テレビモードを遂行する状態で通信モードを遂行する場合、表示モードを共に指定すべきである。即ち、前記通信モードをテレビモードで遂行するか、ＯＳＤモードに変換して遂行するかを指定すべきである。従って、テレビモードの遂行中に通信モードが指定されると、前記制御部１０は通信モードが着信モード、または発信モードでるかを判断し、また前記通信モードが音声通信であるかを、データ通信であるかを判断する。また前記通信モード時に発生される使用者データを表示するモードが現在のテレビモードで遂行されるか、またはＯＳＤモードで遂行されるかを判断する。
【００９５】
前記図を参照してテレビモードで通信モードを遂行する手続きを説明する。
【００９６】
先ず、前記通信モードが着信モードであり、データ通信モードでＯＳＤ表示機能が選択されると、前記制御部１０は８１１段階、８１３及び８１５段階でこれを感知し、８１７段階で前記モード情報を前記映像処理部７０に通報する。前記制御部１０は８１７段階で着信されるデータを前記映像処理部７０に伝送する。すると映像処理部７０のＩ２Ｃインターフェース１１５は前記制御部１０の制御下で前記チューナー５０及びデコーダ６０を制御して動作しないようにする。また、前記映像処理部７０のメモリ制御部１２３は前記メモリ１３１及び１３３に前記制御部１０から出力される使用者データを貯蔵し、前記メモリ１３５に背景画面を貯蔵する。ここで、前記背景画面情報は別に指定されない場合、透明色に設定し、このような場合、前記背景画面の表示は予め決定された背景画面情報を使用するように制御する。従って、前記映像処理部７０は図１３Ａのように前記表示部８０の第１表示領域８１及び第２表示領域８１に前記制御部１０から出力される使用者データを表示するように制御する。ここで、前記使用者データは発信の情報及び発信側で伝送した文字などになることができる。
【００９７】
二番目に、前記通信モードが着信モードであり、データ通信モードでテレビ表示機能が選択されると、前記制御部１０は８１１段階、８１３及び８１５段階でこれを感知し、８１９段階で前記モード情報を前記映像処理部７０に通報する。前記制御部１０は８１９段階で着信されるデータを前記映像処理部７０に伝送する。すると映像処理部７０は８１９段階で前記メモリ１３１に前記制御部１０から出力される使用者データを貯蔵し、前記メモリ１３３及び１３５に受信されるテレビ映像データを貯蔵及び出力する。この時、前記映像処理部７０はＱＣＩＦ画面にテレビ映像データを表示している状態であると、図１３Ｃのように表示部８０の第１表示領域８１にテレビ映像信号を表示するように制御し、第２表示領域８３で前記制御部１０から出力される使用者データを表示するように制御する。ここで、前記使用者データは発信の情報及び発信側に伝送した文字メッセージなどになることができる。また、前記映像処理部７０が前記テレビ映像信号をフル画面に表示する場合、前記映像処理部７０はＯＳＤ制御部１１９を通じて受信される文字メッセージを図１３Ｂのように表示される画面上にオンスクリーン形態に表示する。
【００９８】
三番目に、前記通信モードが着信モードであり、音声通信モードでＯＳＤ表示機能が選択されると、前記制御部１０は８１１段階、８１３及び８２１段階でこれを感知し、８２５段階で前記モード情報を前記映像処理部７０に通報する。映像処理部７０のＩ２Ｃインターフェース１１５は前記制御部１０の制御下で前記チューナー５０及びデコーダ６０を制御して動作しないように制御する。また、前記映像処理部７０のメモリ制御部１２３は前記メモリ１３１及び１３３に前記制御部１０から出力される使用者データを貯蔵し、前記メモリ１３５に背景画面を貯蔵する。ここで、前記背景画面情報は別に指定されない場合、透明色に設定し、このような場合、前記背景画面の表示は予め決定された背景画面情報を使用するように制御する。従って、前記映像処理部７０は図１３Ａのように前記表示部８０の第１表示領域８１及び第２表示領域８３に前記制御部１０から出力される使用者データを表示するように制御する。ここで、前記使用者データは発信者の情報、現在の時間、通信状態などの情報になることができる。そして使用者はオーディオ処理部２５を通じて音声通信機能を遂行する。
【００９９】
四番目に、前記通信モードが着信モードであり、音声通信モードでＯＳＤ表示機能が選択されると、前記制御部１０は８１１段階、８１３及び８２１段階でこれを感知し、８２７段階で前記モード情報を前記映像処理部７０に通報する。すると８２７段階で映像処理部７０のＩ２Ｃインターフェース１１５は、前記チューナー５０及びデコーダ６０が現在設定されたチャネルのテレビ信号を定常的に処理するように制御し、前記デコーダ６０から出力される音声信号は遮断する。これは前記オーディオ処理部２５が音声通信機能に基づいて音声信号を処理できるようにするためである。また、前記８２７段階で映像処理部７０のメモリ制御部１２３は、前記メモリ１３１に前記制御部１０から出力される使用者データを貯蔵し、前記メモリ１３３及び１３５に受信されるテレビ映像データを貯蔵及び出力する。この時、前記映像処理部７０はＱＣＩＦ画面にテレビ映像データを表示している状態であると、図１３Ｃのように表示部８０の第１表示領域８１にテレビ映像信号を表示するように制御し、第２表示領域８３で前記制御部１０から出力される使用者データを表示するように制御する。ここで、前記使用者データは発信の情報、現在の時間、通信状態などの情報になることができる。また、前記映像処理部７０が前記テレビ映像信号をフル画面に表示する場合、前記映像処理部７０はＯＳＤ制御部１１９を通じて受信される使用者データを図１３Ｂのように表示される画面にオンスクリーン形態に表示する。そして使用者はオーディオ処理部２５を通じて音声通信機能を遂行する。
【０１００】
このように着信モードのデータ及び音声通信をサービスした後、通信モードが終了されると、前記制御部１０は８２９段階でこれを感知し、前記テレビモードに戻る。この時、前記制御部１０は前記映像処理部７０を制御して通信モード遂行前のテレビモードサービス状態に全ての機能を還元させる。
【０１０１】
テレビモードが遂行される状態で発信モードを遂行する手続きを説明する。
【０１０２】
先ず、前記通信モードが発信モードであり、データ通信モードでＯＳＤ表示機能が選択されると、前記制御部１０は８３１段階、８３３及び８３５段階でこれを感知し、８３７段階で前記モード情報を前記映像処理部７０に通報する。前記制御部１０は８３７段階で前記キーパッド２７から入力されるデータを前記映像処理部７０に伝送する。すると映像処理部７０のＩ２Ｃインターフェース１１５は、前記制御部１０の制御下で前記チューナー５０及びデコーダ６０を動作しないように制御する。また、前記映像処理部７０のメモリ制御部１２３は前記メモリ１３１及び１３３に前記制御部１０から出力される使用者データを貯蔵し、前記メモリ１３５に背景画面を貯蔵する。ここで、前記背景画面情報は別に指定されない場合、透明色に設定し、このような場合、前記背景画面の表示は予め決定された背景画面情報を使用するように制御する。従って、前記映像処理部７０は図１３Ａのように前記表示部８０の第１表示領域８１及び第２表示領域８３に前記制御部１０から出力される使用者データを表示するように制御する。ここで、前記使用者データは着信加入者の情報及び発信側で伝送しようとする文字メッセージなどになることができる。以後、使用者が確認キーなどを発生して送信を命令すると、前記制御部１０は８３９段階でこれを感知し、８４１段階で前記表示中である文字データを送信する。
【０１０３】
二番目に、前記通信モードが発信モードであり、データ通信モードでテレビ表示機能が選択されると、前記制御部１０は８３１段階、８３３及び８３５段階でこれを感知し、８４３段階で前記モード情報を前記映像処理部７０に通報する。前記制御部１０は８１９段階で入力されるデータを前記映像処理部７０に伝送する。映像処理部７０は８１９段階で前記メモリ１３１に前記制御部１０から出力される使用者データを貯蔵し、前記メモリ１３３及び１３５に受信されるテレビ映像データを貯蔵及び出力する。この時、前記映像処理部７０はＱＣＩＦ画面にテレビ映像データを表示している状態であると、図１３Ｃのように表示部８０の第１表示領域８１にテレビ映像信号を表示するように制御し、第２表示領域８３で前記制御部１０から出力される使用者データを表示するように制御する。ここで、前記使用者データは着信加入者の情報及び伝送しようとする文字メッセージなどになることができる。また、前記映像処理部７０が前記テレビ映像信号をフル画面に表示する場合、前記映像処理部７０はＯＳＤ制御部１１９を通じて受信される文字メッセージを図１３Ｂのように表示される画面上にオンスクリーン形態に表示する。以後、前記送信命令が発生されると、前記制御部１０は８３９段階でこれを感知し、８４１段階で現在表示中である文字を伝送する。
【０１０４】
三番目に、前記通信モードが発信モードであり、音声通信モードでＯＳＤ表示機能が選択されると、前記制御部１０は８３１段階、８３３及び８４５段階でこれを感知し、８４７段階で前記モード情報を前記映像処理部７０に通報する。映像処理部７０のＩ２Ｃインターフェース１１５は、前記制御部１０の制御下で前記チューナー５０及びデコーダ６０を動作しないように制御する。また、前記映像処理部７０のメモリ制御部１２３は前記メモリ１３１及び１３３に前記制御部１０から出力される使用者データを貯蔵し、前記メモリ１３５に背景画面を貯蔵する。ここで、前記背景画面情報は別に指定されない場合、透明色に設定し、このような場合、前記背景画面の表示は予め決定された背景画面情報を使用するように制御する。従って、前記映像処理部７０は図１３Ａのように前記表示部８０の第１表示領域８１及び第２表示領域８３に前記制御部１０から出力される使用者データを表示するように制御する。ここで、前記使用者データは着信加入者の情報、現在の時間、通信状態などの情報になることができる。そして使用者はオーディオ処理部２５を通じて音声通信機能を遂行する。以後、前記通話終了キーが発生されると、前記制御部１０は８４９段階でこれを感知し、通話モードを解除しテレビモードに戻る。
【０１０５】
四番目に、前記通信モードが発信モードであり、音声通信モードでＯＳＤ表示機能が選択されると、前記制御部１０は８３１段階、８３３及び８４５段階でこれを感知し、８５１段階で前記モード情報を前記映像処理部７０にする。８２７段階で映像処理部７０のＩ２Ｃインターフェース１１５は前記チューナー５０及びデコーダ６０が現在設定されたチャネルのテレビ信号を定常的に処理するように制御し、前記デコーダ６０から出力される音声信号は遮断する。これは前記オーディオ処理部２５が音声通信機能に基づいて音声信号を処理できるようにするためである。また、前記８２７段階で映像処理部７０のメモリ制御部１２３は前記メモリ１３１に前記制御部１０から出力される使用者データを貯蔵し、前記メモリ１３３及び１３５に受信されるテレビ映像データを貯蔵及び出力する。この時、前記映像処理部７０はＱＣＩＦ画面にテレビ映像データを表示している状態であると、図１３Ｃのように表示部８０の第１表示領域８１にテレビ映像信号を表示するように制御し、第２表示領域８３で前記制御部１０から出力される使用者データを表示するように制御する。ここで、前記使用者データは発信の情報、現在の時間、通信状態などの情報になることができる。また、前記映像処理部７０が前記テレビ映像信号をフル画面に表示する場合、前記映像処理部７０はＯＳＤ制御部１１９を通じて受信される使用者データを図１３Ｂのように表示される画面にオンスクリーン形態に表示し、音声通信機能を遂行する。以後、前記通話終了キーが発生されると、前記制御部１０は８４９段階でこれを感知し、通話モードを終了した後、テレビモードに戻る。
【０１０６】
前述したように通信モードを遂行する状態で通信モードが終了されると、前記制御部１０は以前状態のテレビモードに還元させ、従って、通信モードが終了されると、前記制御部１０は８６１段階でこれを感知し、テレビモードに戻る。
【図面の簡単な説明】
【０１０７】
【図１】本発明の実施形態に従ってテレビ映像信号を表示する携帯端末機の構成を示す図。
【図２】図１で制御部とテレビ信号を受信する構成間の連結関係を詳細に示す図。
【図３】図１及び図２の映像処理部の構成を示す図。
【図４】図２及び図３で制御部と映像処理部間の動作特性を示すタイミング図。
【図５】図１の表示部でテレビ映像信号を表示する領域を示す図。
【図６】図１でキーパッドと表示部の構成を示す図。
【図７】本発明の実施形態に従ってテレビ映像信号を表示する手続きを示す流れ図。
【図８】図７でテレビ映像画面の拡大及び回転時、表示部の状態を示す図。
【図９】図７でテレビ映像画面を撮影する時の表示部状態を示す図。
【図１０】図７でテレビ映像画面を表示する状態でサービスされるメニューを示す図。
【図１１Ａ】図７でメニューサービス時の表示部状態を示す図。
【図１１Ｂ】図７でメニューサービス時の表示部状態を示す図。
【図１２Ａ】図７で通信モード遂行時の動作手続きを示す流れ図。
【図１２Ｂ】図７で通信モード遂行時の動作手続きを示す流れ図。
【図１３Ａ】図１２Ａ及び図１２Ｂで通信モード遂行時の表示部状態を示す図。
【図１３Ｂ】図１２Ａ及び図１２Ｂで通信モード遂行時の表示部状態を示す図。
【図１３Ｃ】図１２Ａ及び図１２Ｂで通信モード遂行時の表示部状態を示す図。
【符号の説明】
【０１０８】
１０  制御部
２１  ＲＦ部
２３  データ処理部
２５  オーディオ処理部
２７  キーパッド
２９  メモリ
５０  チューナー
６０  デコーダ
７０  映像処理部
８０  表示部
１１１  A/D変換器
１１３  スケーラ
１１５  I２Cインターフェース
１１７  制御インターフェース
１１９  OSD制御部
１２１  タイミング制御部
１２３  メモリ制御部
１２５  OSD混合部
【図１】
2006325235.tif 000011
【図２】
2006325235.tif 000012
【図３】
2006325235.tif 000013
【図４】
2006325235.tif 000014
【図５】
2006325235.tif 000015
【図７】
2006325235.tif 000016
【図１０】
2006325235.tif 000017
【図１２Ａ】
2006325235.tif 000018
【図１２Ｂ】
2006325235.tif 000019
【図１３Ａ】
2006325235.tif 000020
【図６】
2006325235.tif 000021
【図８】
2006325235.tif 000022
【図９】
2006325235.tif 000023
【図１１Ａ】
2006325235.tif 000024
【図１１Ｂ】
2006325235.tif 000025
【図１３Ｂ】
2006325235.tif 000026
【図１３Ｃ】
2006325235.tif 000027